(57)【特許請求の範囲】
【請求項１】
電気錠と制御器との間が複数本の電線で接続され、前記制御器からの施解錠信号の入力による施解錠状態に応じた接点信号を前記制御器にモニタ信号として出力するとともに、扉の開閉に応じて扉開閉信号を前記制御器にモニタ信号として出力するスイッチ部を備え、前記制御器の電源部から前記複数本の電線を介して前記電気錠の駆動部への電源供給の有無を制御することにより前記電気錠を施解錠制御する電気錠システムにおいて、
前記複数本の電線は、前記電源部から前記駆動部に電源を供給するための電源ラインを形成する電線と、前記電気錠側の電源ラインの一部に設けられる接点をオン・オフ切替する切替部に駆動信号を供給するための駆動ラインを形成する電線と、前記制御部からの施解錠信号によって前記スイッチ部の接点を切り替え、切替時の接点信号をモニタ信号として前記制御部に出力するための信号ラインを形成する電線と、扉の開閉に応じて扉開閉信号をモニタ信号として前記制御部に出力するための信号ラインを形成する電線とからなり、
前記電源部から所定の電圧が印加される導線と、前記電気錠と前記制御器との間にわたって前記複数本の電線を覆うように収容する中空部を有するチューブ状に形成され、前記導線が埋設された被覆材とを有する断線検出用電線と、
前記断線検出用電線に印加されている電圧の変化を検出する断線検出部とを備え、
前記断線検出部による電圧の変化の検出結果に基づく前記接点の開閉により前記駆動部への電源供給の有無を制御することを特徴とする防犯電気錠システム。
【請求項２】
電気錠と制御器との間が複数本の電線で接続され、前記制御器からの施解錠信号の入力による施解錠状態に応じた接点信号を前記制御器にモニタ信号として出力するとともに、扉の開閉に応じて扉開閉信号を前記制御器にモニタ信号として出力するスイッチ部とを備え、前記制御器の電源部から前記複数本の電線を介して前記電気錠の駆動部への電源供給の有無を制御することにより前記電気錠を施解錠制御する電気錠システムにおいて、
前記複数本の電線は、前記電源部から前記駆動部に電源を供給するための電源ラインを形成する電線と、前記電気錠側の電源ラインの一部に設けられる接点をオン・オフ切替する切替部に駆動信号を供給するための駆動ラインを形成する電線と、前記制御部からの施解錠信号によって前記スイッチ部の接点を切り替え、切替時の接点信号をモニタ信号として前記制御部に出力するための信号ラインを形成する電線と、扉の開閉に応じて扉開閉信号をモニタ信号として前記制御部に出力するための信号ラインを形成する電線とからなり、
前記電源部から所定の電圧が印加され、前記電気錠と前記制御器との間にわたって前記複数本の電線を覆うように巻回される導線からなる断線検出用電線と、
前記断線検出用電線に印加されている電圧の変化を検出する断線検出部とを備え、
前記断線検出部による電圧の変化の検出結果に基づく前記接点の開閉により前記駆動部への電源供給の有無を制御することを特徴とする防犯電気錠システム。
【発明の詳細な説明】
【技術分野】
【０００１】
本発明は、扉などに取付けて電気的に施解錠を行う電気錠に採用し、特に外部からの不正行為による施解錠を防止することができる防犯電気錠システムに関するものである。
【背景技術】
【０００２】
従来より、オフィスビルや公共施設または一般住宅などのドアを施解錠するために電動でデッドボルトを出入させて施解錠を行なう電気錠が用いられている。このような電気錠としては、例えば通常の鍵に加え、暗証番号が記憶された磁気カードやＩＤカードをカードリーダーに挿入して施解錠を行なうもの、リモコンキーのキー操作により出力される電波や赤外線を施解錠信号を施解錠を行うものなど様々な種類の電気錠が知られている。
【０００３】
この種の電気錠として、例えば下記特許文献１に開示される電気錠システムが知られている。図４に示す電気錠システムは、ドア５１に設置された電気錠５２及び電気錠制御部（図示せず）と、壁に設置され電気的な手段により電気錠５２の施錠や解錠を決定し電気錠５２を制御するための制御信号を出力する施解錠決定手段５３とを備え、ドア５１の一側面が蝶番５４にてドア枠５５に連結されている。これにより、ドア５１がドア枠５５に対して開閉自在となっている。施解錠決定手段５３には電源線５６によって交流電源（ＡＣ１００Ｖ又はＡＣ２００Ｖ）が供給され、施解錠決定手段５３と前記電気錠制御部との間は電線５７，５８及び伝送手段Ａを介して信号が伝送されるようになっている。
【０００４】
【特許文献１】特開平１０−０２５９３５号公報
【発明の開示】
【発明が解決しようとする課題】
【０００５】
上述した特許文献１に開示される従来の電気錠システムでは、外力により電線が断線もしくは不正行為等により切断されると、電気錠として正常に機能しなくなるという問題があった。この場合、電気錠システムでは、電線が断線したか否かを判別できず、この間に外部から断線した電線に電気錠を解錠するために必要な電源が不正に印加されると、電気錠が不正に解錠されてしまい、開扉により室内に侵入されるといった危険性があった。
【０００６】
そこで、本発明は上記問題点に鑑みてなされたものであり、外部からの不正行為による施解錠を防止することができる防犯電気錠システムを提供することを目的とするものである。
【課題を解決するための手段】
【０００７】
上記した目的を達成するために、請求項１記載の防犯電気錠システムは、電気錠と制御器との間が複数本の電線で接続され、前記制御器からの施解錠信号の入力による施解錠状態に応じた接点信号を前記制御器にモニタ信号として出力するとともに、扉の開閉に応じて扉開閉信号を前記制御器にモニタ信号として出力するスイッチ部を備え、前記制御器の電源部から前記複数本の電線を介して前記電気錠の駆動部への電源供給の有無を制御することにより前記電気錠を施解錠制御する電気錠システムにおいて、
前記複数本の電線は、前記電源部から前記駆動部に電源を供給するための電源ラインを形成する電線と、前記電気錠側の電源ラインの一部に設けられる接点をオン・オフ切替する切替部に駆動信号を供給するための駆動ラインを形成する電線と、前記制御部からの施解錠信号によって前記スイッチ部の接点を切り替え、切替時の接点信号をモニタ信号として前記制御部に出力するための信号ラインを形成する電線と、扉の開閉に応じて扉開閉信号をモニタ信号として前記制御部に出力するための信号ラインを形成する電線とからなり、
前記電源部から所定の電圧が印加される導線と、前記電気錠と前記制御器との間にわたって前記複数本の電線を覆うように収容する中空部を有するチューブ状に形成され、前記導線が埋設された被覆材とを有する断線検出用電線と、
前記断線検出用電線に印加されている電圧の変化を検出する断線検出部とを備え、
前記断線検出部による電圧の変化の検出結果に基づく前記接点の開閉により前記駆動部への電源供給の有無を制御することを特徴とする。
【０００８】
請求項２記載の防犯電気錠システムは、電気錠と制御器との間が複数本の電線で接続され、前記制御器からの施解錠信号の入力による施解錠状態に応じた接点信号を前記制御器にモニタ信号として出力するとともに、扉の開閉に応じて扉開閉信号を前記制御器にモニタ信号として出力するスイッチ部とを備え、前記制御器の電源部から前記複数本の電線を介して前記電気錠の駆動部への電源供給の有無を制御することにより前記電気錠を施解錠制御する電気錠システムにおいて、
前記複数本の電線は、前記電源部から前記駆動部に電源を供給するための電源ラインを形成する電線と、前記電気錠側の電源ラインの一部に設けられる接点をオン・オフ切替する切替部に駆動信号を供給するための駆動ラインを形成する電線と、前記制御部からの施解錠信号によって前記スイッチ部の接点を切り替え、切替時の接点信号をモニタ信号として前記制御部に出力するための信号ラインを形成する電線と、扉の開閉に応じて扉開閉信号をモニタ信号として前記制御部に出力するための信号ラインを形成する電線とからなり、
前記電源部から所定の電圧が印加され、前記電気錠と前記制御器との間にわたって前記複数本の電線を覆うように巻回される導線からなる断線検出用電線と、
前記断線検出用電線に印加されている電圧の変化を検出する断線検出部とを備え、
前記断線検出部による電圧の変化の検出結果に基づく前記接点の開閉により前記駆動部への電源供給の有無を制御することを特徴とする。
【発明の効果】
【０００９】
以上説明したように、本発明の電気錠システムによれば、電気錠と制御器との間を接続する複数本の電線に対し、予め決められた電圧が印加された断線検出用電線を被覆しておく。複数本の電線は、電源部から駆動部に電源を供給するための電源ラインを形成する電線と、電気錠側の電源ラインの一部に設けられる接点をオン・オフ切替する切替部に駆動信号を供給するための駆動ラインを形成する電線と、制御部からの施解錠信号によってスイッチ部の接点を切り替え、切替時の接点信号をモニタ信号として制御部に出力するための信号ラインを形成する電線と、扉の開閉に応じて扉開閉信号をモニタ信号として制御部に出力するための信号ラインを形成する電線とからなる。また、断線検出用電線は、電源部から所定の電圧が印加される導線と、電気錠と制御器との間にわたって複数本の電線を覆うように収容する中空部を有するチューブ状に形成され、導線が埋設された被覆材とを有する構成、又は電源部から所定の電圧が印加され、電気錠と制御器との間にわたって複数本の電線を覆うように巻回される導線からなる構成である。そして、この断線検出用電線に印加されている電圧の変化を検出して駆動部への電源供給を制御する構成とすれば、外部からの不正行為による電線の切断や断線を検出した場合には駆動部への電源供給を断つことができ、不正行為による電気錠の施解錠を防止することができる。
【発明を実施するための最良の形態】
【００１０】
以下、本発明の防犯電気錠システムの各形態について図面を参照しながら具体的に説明する。図１は本発明に係る防犯電気錠システムの実施の形態を示す概略構成図、図２は図１の防犯電気錠システムに採用される断線検出用電線の部分断面図、図３は図１の防犯電気錠システムに採用される断線検出用電線の他の例を示す概略説明図である。
【００１１】
なお、本発明の防犯電気錠システムが採用される電気錠の構成については、従来から例えばオフィスビル、公共施設、一般住宅などの扉を施解錠するために電動によりモータやソレノイドを駆動してデッドボルトを出入させることにより施解錠を行うものと同様のため具体的な説明は省略する。
【００１２】
まず、図１乃至図３を参照しながら本発明の防犯電気錠システムについて説明する。図１に示すように、防犯電気錠システムは、電気錠１（１Ａ）、制御器２（２Ａ）を備えて概略構成される。
【００１３】
図１に示すように、電気錠１Ａと制御器２Ａとの間は、複数本の電線４（４ａ〜４ｄ）により電気的に接続され、さらに各電線４が断線検出用電線３により覆われた構成となっている。電気錠１Ａは、モータやソレノイドなどの駆動部１ａ、駆動部１ａに供給される電源をオン・オフ切替するリレーなどの切替部１ｂの他、制御器２Ａからの施解錠信号の入力による施解錠状態に応じた接点信号を制御器２Ａにモニタ信号として出力する例えばマイクロスイッチ１１と、扉の開閉に応じて扉開閉信号を制御器２Ａにモニタ信号として出力する例えばリードスイッチ１２とを含むスイッチ部を有している。
【００１４】
図１に示すように、制御器２Ａは、電源部２ａ、断線検出部２ｂ、制御部２ｃを有している。電源部２ａは、断線検出用電線３および制御部２ｃに電源を供給するとともに、制御部２ｃを介して電線４に電源を供給している。断線検出部２ｂは、断線検出用電線３に印加されている電圧を検出し、この検出電圧の変化の有無（電圧が許容範囲から外れているか否か）によって電線４が切断される前に断線検出用電線３の断線の有無を検出している。断線検出部２ｂは、検出電圧が変化したとき、すなわち断線検出用電線３に印加されている電圧が許容範囲から外れたときに、異常検出信号を制御部２ｃに出力している。
【００１５】
制御部２ｃは、電気錠１Ａの解錠を許可する信号が外部から入力されたときに、切替部１ｂに切替信号を入力して電線４（４ａ）の接点１ｃを閉じるように制御し、電源部２ａからの電源を電線４ａを介して駆動部１ａに供給している。その際、制御部２ｃからの解錠信号によりマイクロスイッチ１１の接点が解錠側に切り替えられ、そのときの接点信号がモニタ信号として制御部２ｃに送られる。また、電気錠１Ａの解錠後に、扉が開くと、リードスイッチ１２から扉開信号がモニタ信号として制御部２ｃに送られる。さらに、制御部２ｃは、断線検出部２ｂから異常検出信号が入力されると、電源部２ａから駆動部１ａへの電源供給を断つべく切替部１ｂに切替信号を入力して電線４ａの接点１ｃを開くように制御している。
【００１６】
電線４は、例えば金属線やガラスファイバーなどの伝送路を形成している。図１の例では、電源部２ａから駆動部１ａに電源を供給するための電源ラインを形成する電線４（４ａ）、電気錠１Ａ側の電源ラインの一部に設けられる接点１ｃをオン・オフ切替する切替部１ｂに駆動信号を供給するための駆動ラインを形成する電線４（４ｂ）、制御部２ｃからの施解錠信号によってマイクロスイッチ１１の接点を切り替え、切替時の接点信号をモニタ信号として制御部２ｃに出力するための信号ラインを形成する電線４（４ｃ）、扉の開閉に応じて扉開閉信号をモニタ信号として制御部２ｃに出力するための信号ラインを形成する電線４（４ｄ）が設けられている。
【００１７】
ここで、電線４を覆うように設けられる断線検出用電線３は、図２や図３に示す構成のものが採用される。図２に示す断線検出用電線３（３Ａ）は、導線３ａ、被覆材３ｂ、シース３ｃを備えて構成される。
【００１８】
導線３ａは、例えば銅などの低抵抗金属を用いて線状に形成される。導線３ａは、一端が電源部２ａおよび断線検出部２ｂに接続され、他端が接地される。導線３ａには、電源部２ａから所定の電圧が印加される。この導線３ａに印加される電圧の変化は、断線検出部２ｂによって検出される。
【００１９】
なお、導線３ａの形状は線状に限らず、電線４の形状や使用環境に合せて形状を自由にすることも可能である。
【００２０】
被覆材３ｂは、例えば合成ゴムやシリコーン樹脂などの絶縁部材で形成される。この被覆材３ｂは、断面が環状をなし、中空部を有するチューブ状に形成される。この被覆材３ｂの中空部には、電線４が収容されており、電線４を外力から防護している。また、被覆材３ｂには、導線３ａが埋設されている。図２の例において、被覆材３ｂには、外周方向に所定間隔をおいて複数本の導線３ａが埋設されている。
【００２１】
なお、被覆材３ｂに対する導線３ａの埋設位置は、厚さの中心部分に限らず、例えば被覆材３ｂが同心方向に肉厚の場合には外周方向に近い位置に埋設するようにしても良い。また、図２の例では、複数本の導線３ａを埋設した構成であるが、電線４や導線３ａの形状、使用環境、用途に応じて少なくとも一本の導線３ａを埋設しても同様の効果を奏する。
【００２２】
シース３ｃは、被覆材３ｂの外周に設けられ、断線検出用電線３の最外層に施されるものである。シース３ｃは、例えば塩化ビニル系材料や耐燃性ポリエチレンなどで形成される。このシース３ｃは、被覆材３ｂへの外傷、浸水等を防ぐためのものである。
【００２３】
なお、上述したシース３ｃは、使用環境や用途に応じて被覆材３ｂに被覆されるものであり、被覆せずに省くこともできる。
【００２４】
次に、上述した防犯電気錠システムの動作について具体的な使用例を示して説明する。ここでの防犯電気錠システムは、例えばオフィスビル、公共施設等のエントランスホール、通用口等に設置されている扉などに備えた電気錠に採用される。
【００２５】
図１における電気錠１（１Ａ）は、解錠を許可する者が所定の解錠操作を行ったとき、制御器２（２Ａ）の電源部２ａから電線４を介して電源が供給され、この電源の供給によりモータやソレノイドなどの駆動部１ａが作動して解錠する。ここで、外力により電線４を切断し、この切断した電線４に外部から駆動部１ａを作動させるために必要な電圧を印加することにより不正に電気錠が解錠される恐れがあった。
【００２６】
そこで、本例の防犯電気錠システムでは、図１に示すように、電気錠１Ａと制御器２Ａとの間を接続する電線４（４ａ〜４ｄ）に予め断線検出用電線３（３Ａまたは３Ｂ）を被覆しておく。例えば図２の断線検出用電線３Ａは、電線４が収容される被覆材３ｂに導線３ａを埋設し、さらに被覆材３ｂを被覆するようにシース３ｃが形成されている。この断線検出用電線３Ａを用いた場合は、電気錠１Ａと制御器２Ａとの間を接続する電線４（４ａ〜４ｂ）を被覆材３ｂの中空部内に収容する。そして、電線４を収容した各断線検出用電線３Ａは、隣接する断線検出用電線３Ａの対向する導線３ａ同士を電気的に接続して１本の線路とする。図２の例では、導線３ａが６本なので、６本の線路が形成される。そして、各線路の一端を電源部２ａおよび断線検出部２ｂに接続し、他端を接地する。この状態で、断線検出用電線３Ａの各導線３ａに電源部２ａから電圧を印加させておく。
【００２７】
そして、外力により電線４を断線させる不正行為があると、電線４に被覆された断線検出用電線３Ａが電線４よりも先に切断されることになり、導線３ａに印加されている電圧が変化する。この電圧の変化を断線検出部２ｂが検出すると、制御部２ｃから切替部１ｂに電源ラインを断つ旨の切替信号が入力される。切替部１ｂは、制御部２ｃから電源ラインを断つ旨の切替信号が入力されると、電線４ａ上の接点１ｃを開く。これにより、電源ラインを形成する電線４ａが開放され、電気錠１Ａを解錠するためのモータやソレノイドなどの駆動部１ａへの電源供給が断たれる。その結果、電気錠１Ａの施解錠が不能になり、電気錠１Ａに対する不正行為による施解錠を未然に防止して防犯効果を高めることができる。なお、制御部２ｃは、電線４ａ上の接点１ａを開く制御を行うと同時に外部にアラーム信号を出力することも可能である。
【００２８】
このように、本例の防犯電気錠システムでは、所定の電圧が印加される断線検出用電線３を、電気錠１Ａと制御器２Ａとの間を接続する電線４に被覆している。そして、外部から不正行為により電線４の切断を試みようとした場合には、電線４より先に断線検出用電線３が切断され、断線検出用電線３に印加されている電圧が変化し、この電圧の変化を断線検出部２ｂが検出すると、制御部２ｃの制御により切替部１ｂが電線４ａ上の接点１ｃを開く。これにより、電線４ａが開放された状態となり、電気錠１Ａの駆動部１ａへの電源供給が断たれるので、外部からの不正行為による電気錠１Ａの施解錠を防止することができる。
【００２９】
なお、本例の防犯電気錠システムでは、断線検出用電線３に印加されている電圧を制御器２Ａの断線検出部２ｂで検出し、この検出結果に基づいて制御部２ｃが切替部１ｂを切替制御して接点１ｃを開閉しているが、断線検出部２ｂと制御部２ｃを電気錠１Ａに設けて同様の制御を行う構成としても良い。
【００３０】
ところで、本例の防犯電気錠システムに採用する断線検出用電線３は、図２および図３に示す構成のどちらを使用しても同様の効果を奏する。また、使用環境や用途によっては図２および図３の構成を組み合わせて用いることもできる。
【図面の簡単な説明】
【００３１】
【図１】本発明に係る防犯電気錠システムの実施の形態を示す概略構成図である。
【図２】図１の防犯電気錠システムに採用される断線検出用電線の部分断面図である。
【図３】図１の防犯電気錠システムに採用される断線検出用電線の他の例を示す概略説明図である。
【図４】従来の電気錠システムの構成を示す概略説明図である。
【符号の説明】
【００３２】
１（１Ａ）  電気錠
１Ｃａ  電源制御部
１ａ  駆動部
１ｂ  切替部
１ｃ  接点
１ｄ  高周波受信部
１ｅ  制御部
２（２Ａ）  制御器
２ａ  電源部
２ｂ  断線検出部
２ｃ  制御部
３  断線検出用電線
４（４ａ，４ｂ，４ｃ，４ｄ）  電線
１１  マイクロスイッチ（スイッチ部）
１２  リードスイッチ（スイッチ部）
【図１】
0004401764.tif 000002
【図２】
0004401764.tif 000003
【図３】
0004401764.tif 000004
【図４】
0004401764.tif 000005